(57)【特許請求の範囲】
【請求項１】
硬質ないし半硬質のデータ媒体とデータ交換装置との間でデータを交換する自動車用データ交換装置であって、
前記データ交換装置は、ハウジングを有するユニットを備え、前記ユニットが所定の起動位置にある際に前記ハウジング内にカード状媒体を手動で導入するようになっており、
前記データ交換装置は、起動位置にある前記ユニット内にデータ媒体を長手方向に保持する手段と、データ媒体を導入し取り出すための補助手段と、を備え、
前記データ媒体は窓部を有し、前記ユニットは、媒体を固定するための固定レバーを備え、
前記レバーは、軸線の周りに、安定固定位置と安定後退位置との間で枢動できるようになっており、
前記レバーは、前記安定固定位置に向かって弾性的に復帰し、前記安定固定位置において前記固定レバーの一方のアームの自由端に形成された固定フィンガーが垂直に前記窓部の内部にまで延び、
前記固定レバーはまた、前記安定後退位置に向かっても弾性的に復帰し、前記安定後退位置において前記固定フィンガーが前記窓部から外れることによりデータ媒体をユニットから取り出すことができるようにする
ことを特徴とする、データ交換装置。
【請求項２】
データ媒体を導入する方向である長手方向を含む面に対して、前記固定レバーの枢動軸線が平行になっていることを特徴とする請求項１記載のデータ交換装置。
【請求項３】
双安定スプリングにより、前記固定レバーが前記安定固定位置と前記後退位置との何れにも向かって弾性的に復帰することができることを特徴とする請求項２記載のデータ交換装置。
【請求項４】
前記固定レバーの枢動軸線が、データ媒体を導入する長手方向に垂直であることを特徴とする請求項３記載のデータ交換装置。
【請求項５】
データ媒体をユニット内に導入する際の前記後退安定位置からの前記固定レバーの枢動運動が、データ媒体の前側端と、固定フィンガーから回転角方向にずれた固定レバーの作動フィンガーの後方カム形状部との間の協働によって、生じることを特徴とする請求項４記載のデータ交換装置。
【請求項６】
データ媒体を取り出す際、前記窓部の前側端と固定フィンガーの前方カム形状部との間の協働作用により安定固定位置からの固定レバーの枢動運動が生じることを特徴とする、請求項４記載のデータ交換装置。
【請求項７】
固定レバーが、固定位置にある時、作動フィンガーの後方カム形状部と固定フィンガーの前方カム形状部との間の長手方向距離が、前記データ媒体の前側端と前記窓部の前側端との間の長手方向距離に等しいことを特徴とする、請求項５および６に記載のデータ交換装置。
【請求項８】
固定レバーが、データ媒体を固定する回転角方向位置に固定レバーをロックするための操作される部材を有することを特徴とする請求項１記載のデータ交換装置。
【請求項９】
操作されるロッキング部材が電磁石であり、この電磁石のコアプランジャーがロッキングフィンガーを構成し、このロッキングフィンガーは電磁石のハウジングから突出し、固定レバーの一部に向くよう延び、固定レバーがその固定位置から後退位置まで回転するのを防止するようにできることを特徴とする請求項８記載のデータ交換装置。
【請求項１０】
電磁石のコアプランジャーの変位軸線が、固定レバーの枢動軸線に平行であることを特徴とする請求項４と組み合わせた請求項９記載のデータ交換装置。
【請求項１１】
双安定スプリングはヘアピンスプリングであり、このスプリングの第１の横方向主要脚部が固定レバー内の中心のずれた孔を貫通し、スプリングの第２の主要横方向脚部が１８０度の曲げ部として、次に横方向関節接続脚部として延び、この関節接続脚部が固定レバーの本体を貫通し、レバーが関節接続されている軸線を構成することを特徴とする請求項３記載のデータ交換装置。
【請求項１２】
データ処理により盗難防止機能の一部または全体を実行し、データ媒体に含まれるデータの一部が自動車の正当なユーザーまたは正当なユーザーのグループを示すようになっている自動車に取り付けられることを特徴とする請求項１記載のデータ交換装置。
【発明の詳細な説明】
【０００１】
【発明の属する技術分野】
本発明は、剛性または半剛性データ媒体とデータ交換装置との間でデータを交換するための装置に関し、より詳細には、媒体に記憶されたデータの読み取り機に関する。
【０００２】
より詳細には、本発明は例えば全体が長方形のカードまたはバッジ状をしたデータ媒体が自動車のユーザーを識別するデータを支持しており、ユーザーが自分のバッジを読み取り装置に挿入すると、特にユーザーが自動車のエンジンを始動できるようにすることによってユーザーの自動車の使用を許可するようになっている、自動車に挿入する装置に関する。
【０００３】
【従来の技術】
データ媒体が剛性または半剛性カードであり、このカードが電気接点および／またはデータ交換アンテナにより装置の読み取り手段に接続された、例えば集積回路またはチップを含むようになっているかかる装置の例は多数が公知となっている。
【０００４】
装置にバッジまたはカードを挿入する際に、カードはデータ媒体が所定の起動位置を占めるユニット内のハウジングに手動で挿入され、カードまたはバッジを受ける装置は、データ交換を正しく行えるように、ユニット内の起動位置にこのデータ媒体を長手方向に保持するための手段を含む。
【０００５】
最も普及している構造では、これら保持手段は簡単なブレーキから成る。すなわち、カードの側方エッジおよび／または広い面と摩擦によって協働する弾性変形可能なタブが設けられている。
【０００６】
【発明が解決しようとする課題】
読み取り装置において、データ媒体を保持するための手段のかかる構造は、自動車の走行中に装置がかなりの振動を受け、これによりデータ媒体が放出されたり、またはごくわずかにその起動位置、いわゆる読み取り位置からずれるような場合、自動車に使用するには完全に満足できるとは言えない。
【０００７】
更に自動車に使用する場合、データ媒体を起動位置に保持するだけでなく、ロッキング命令に応答してデータ媒体をこの位置に固定することにより、データ媒体をロックし、所定の自動車の使用形態で、不適当な時間にドライバーまたは乗客が読み取り装置からデータ媒体を取り出すことができないようにしなければならない。
【０００８】
かかる装置の使用をさらに便利とするために、装置へのデータ媒体の挿入および／またはデータ媒体の装置からの取り出しを補助するための手段を設けることがこれまでに提案されている。
【０００９】
この目的のために、装置は駆動スライドを備え、このスライドにカードを手動で挿入し、次にカードを挿入した静止位置とスライドがカードを読み取り手段に対向する起動読み取り位置との間で電気的に移動させることがこれまで提案されている。
【００１０】
しかし、このような構造は複雑であり、かつ扱いにくく、自動車用に組み込むのには適していない。
【００１１】
放出による補助を行う手段を設けるという見地から、これまでに挿入時にユーザーがエネルギーを蓄積するリターンスプリングに抗して動作を行い、作動した係止手段、すなわち予め応力が加えられ、カードの取り出しを助けるという見地からエネルギーを蓄積するスプリングによってカードを起動位置に固定し、ユニット内のハウジングからカードを完全に放出するよう、補助が役に立つことができる応用例も多数提案されている。
【００１２】
このような構造は、カードを挿入する走行終了端で大きな力を必要とするか、または弾性リターン手段によりカードに加えられる力に抗した公知の係止手段は、自動車の走行中に振動によってこれら手段が影響を受け、カードが危険に、かつ不適当な時に放出されるという恐れがある。従って、自動車に利用するには適当でないという点で、完全に充分なものとは言えない。
【００１３】
上記欠点を克服するために、本発明は、カード状媒体を所定の起動位置を占めるユニット内のハウジングに手動で挿入するようになっているユニットを備えるタイプであり、データ交換装置が、ユニット内に起動位置にデータ媒体を長手方向に保持するための手段およびデータ媒体を挿入し、取り出すことを補助する手段を備えたタイプの、剛性または半剛性データ媒体とデータ交換装置、特に媒体に含まれるデータの読み取り機との間でデータを交換するための装置であって、前記データ媒体がウィンドを有し、前記ユニットが媒体を固定するためのレバーを含み、固定レバーが弾性的に復帰され、固定レバーの一方のアームの自由端に形成された固定フィンガーがウィンド内に垂直に延びる安定固定位置と固定レバーが弾性的に復帰され、固定フィンガーがウィンドの外に位置し、よってデータ媒体をユニットから取り出すことができるようにする安定した後退位置との間で軸線を中心として媒体が枢動できるように固定レバーが取り付けられていることを特徴とする、データ交換装置を提案するものである。
【００１４】
データ媒体を挿入する長手方向存在する平面に対し固定レバーが平行となっている。
【００１５】
双安定スプリングにより固定レバーは２つの安定する固定位置および後退位置に向かって弾性的に復帰されるようになっている。
【００１６】
固定レバーの枢動軸線は、データ媒体を挿入する長手方向に垂直である。
【００１７】
ユニット内へデータ媒体を挿入する際、データ媒体の前方横方向エッジと固定フィンガーから回転角方向にずれた固定レバーの作動フィンガーの後方カム形状部との間の協働によって、後退安定位置からの固定レバーの枢動運動が生じる。
【００１８】
データ媒体を取り出す際、ウィンドの前方横方向エッジと固定フィンガーの前方カム形状部との間の協働により、安定固定位置からの固定レバーの枢動運動が生じる。
【００１９】
固定レバーが固定位置にある時、作動フィンガーの後方カム形状部と固定フィンガーの前方カム形状部との間の長手方向距離は、データ媒体の前方横方向エッジとウィンドの前方横方向エッジとの間の長手方向距離に等しい。
【００２０】
固定レバーが、データ媒体を固定する回転角方向位置に固定レバーをロックするための操作される部材をこの装置は備える。
【００２１】
操作されるロッキング部材は電磁石であり、この電磁石のコアプランジャーはロッキングフィンガーを構成し、このロッキングフィンガーは電磁石のハウジングから突出し、固定レバーの一部に向くよう延び、固定レバーはその固定位置から後退位置まで回転するのを防止できる。
【００２２】
電磁石のコアプランジャーの変位軸線は、固定レバーの枢動軸線に平行である。
【００２３】
双安定スプリングはヘアピンスプリングであり、このスプリングの第１の横方向主要脚部は固定レバー内の中心のずれた孔を貫通し、スプリングの第２の主要横方向脚部は１８０度の曲げ部として、次に横方向関節接続脚部として延び、この関節接続脚部は固定レバーの本体を貫通し、レバーは関節接続されている軸線を構成する。
【００２４】
データ処理により盗難防止機能の一部または全体を実行し、データ媒体に含まれるデータの一部が自動車の正当なユーザーまたは正当なユーザーのグループを示すようになっている自動車に装置が取り付けられる。
【００２５】
添付図面を参照しながら下記の説明を読めば、本発明の上記以外の特徴および利点が明らかとなると思う。
【００２６】
【発明の実施の形態】
次の説明では、詳細な説明および請求の範囲をより容易に理解できるよう、符号と共に「垂直」、「水平」、「上方」、「下方」、「前方」、「後方」等の用語を使用する。
【００２７】
図面に示した、本発明の要旨に係わる装置１０は、基本的にはデータ媒体またはバッジ１２およびユニット１４から基本的に成り、ユニットの下方プレート１６しか図示していない。
【００２８】
本ケースのバッジ１２は、全体が長方形をした薄い剛性要素であり、この要素は長手方向の後方エッジ（図示せず）の近くに取り扱いを可能にし、特に平面全体に平行にスライドできるようにする把持部分を有する。
【００２９】
バッジ１２はデータ媒体であり、このデータ媒体は長手方向、すなわち上方の広い面１８および下方の広い面２０の全平面に平行な方向１にユニット１４内へと挿入することができ、更にデータ媒体をこのユニットから同一方向または逆方向に取り出すことができるようになっている。
【００３０】
全体の構造が公知となっている、ユニット１４内でバッジ１２のスライドをガイドするための手段は図には示しておらず、詳細には説明しない。
【００３１】
図から理解できるように、バッジ１２は、その前方部分にて、かつ前方の横方向エッジ２２の近くに長方形の輪郭のウィンド２４を有し、このウィンドの辺はバッジ１２の辺に対して平行となっている。
【００３２】
ウィンド２４はバッジ内へ垂直に延び、これを完全に貫通している。
【００３３】
より詳細には、特に図２から判るように、ウィンド２４は長手方向に２つの平行な前方の横方向エッジ２６と後方の横方向エッジ２８によって境界が定められており、これら２つのエッジは図から判るように上下の面取り部を有する。
【００３４】
このウィンド２４は本発明の要旨によれば、固定ウィンドとなっている。すなわちユニット１５によって支持された固定部材を収容するようになっており、次にこの固定部材について図を参照して詳細に説明する。
【００３５】
バッジ１２を起動位置に固定するための部材は、固定レバー３４に属する固定アーム３２の自由端に形成された固定フィンガー３０であり、固定レバー３４は横方向軸線Ａを中心にユニットに対し枢動できるよう取り付けられており、横方向軸線は方向１に垂直であり、かつこの方向１を含む平面に平行、すなわちデータ媒体を形成するバッジ１２の全面に対して平行となっている。
【００３６】
従って、レバー３４を枢動するための軸線Ａは固定されており、図２ならびに図１および図４にそれぞれ示されている２つの安定な端の回転角方向の位置の間で軸線Ａを中心として双方向に枢動できるよう、固定レバー３４が取り付けられている。
【００３７】
これら２つの位置は２つの安定な位置であり、固定レバー３４はこれら各々の位置に向かって双安定リターンスプリング３４により回転角方向に弾性力で復帰するようになっている。
【００３８】
図面に示した実施例では、スリング３４は全体の形状がヘアピン状をした、曲げられたワイヤスプリングとなっている。
【００３９】
ヘアピンは横方向に配列された第１主要脚部３８を有し、この脚部は軸線Ａに対して中心がずれており、この軸線に対して後方にずれ、固定レバー３４のラジアルタブ４２内に形成された、横方向に向いたハウジング４０内へと延びている。
【００４０】
双安定スプリング３６の第２横方向主要脚部４４は、第１脚部３８から長手方向後方にずれており、次に固定レバー３４の本体５２内の孔５０を貫通する横方向の関節接続脚部４８により、１８０度の曲げ部４６として延びている。
【００４１】
従って、脚部４８は軸線、すなわちスピンドルを構成し、このスピンドル上でレバー３４は幾何学的軸線Ａを中心として関節接続されており、この目的のためにバッジ１２となっているデバイスのユニット内のベアリング（図示せず）に横方向の両端部５４および５６が嵌合されている。
【００４２】
図２に示された双安定スプリング３６の第１安定位置は、固定レバー３４の第１の安定な後退位置を定めている。この第１位置では固定レバー３０は後退しており、すなわちバッジ１２が移動する平面に向くよう延びていなければ、当然、固定ウィンド２４内にも延びていない。
【００４３】
図から判るように、固定レバー３４は作動フィンガー６０も含み、この作動フィンガー６０は固定レバー３４に属す作動アーム６２の自由端に形成されており、図２で見た場合、固定フィンガー３０から反時計回り方向にずれており、図１から判るように固定フィンガー３０から横方向にずれている。
【００４４】
図から判るように、作動フィンガー６０の長手方向断面はその後方面６４を介し、バッジ１２の前方横方向エッジ２２とカム状に係合できるよう、丸い形状となっている。
【００４５】
同様に、固定フィンガー３０の前方エッジ６６の長手方向断面は、スロット２４の前方横方向エッジ２６と協働できるカムを形成するランプ傾斜部を構成するように傾斜している。
【００４６】
本発明の要旨によれば、この装置は固定レバー３４を安定した固定位置にロックするための手段も含む。
【００４７】
図に示された実施例では、このロッキング手段は電磁石７０として略図で示されており、この電磁石のコアプランジャー（図示せず）はロッキングロッド、すなわちフィンガー７２を作動させることができ、このフィンガー７２は通常は一部が電磁石７０の本体（図１参照）内に格納されており、ロックされた位置では横方向外側すなわち固定レバー３４の関節接続軸線Ａに平行な方向に突出し、固定レバー３４の本体５２の横方向延長部７４に向くよう延び、固定レバー３４が図４に示されている固定位置から時計回り方向に枢動するのを防止している。
【００４８】
次に図２〜図４を参照し、本発明に係わる装置の作動について説明する。
【００４９】
デバイスのユニット内にバッジ１２がない場合、双安定スプリング３６の作用を受ける固定レバー３４は図２に示された位置にあり、この位置において、作動フィンガー６０はバッジ１２の通路に沿って、すなわちバッジ１２の前方横方向エッジ２２に向くよう延びる。
【００５０】
バッジ１２が方向１、すなわち図２で見た場合左から右へ長手方向に挿入されると、このバッジ１２の前方横方向エッジ２２はバッジ１２のカムを形成する後方面６４と協働し、図２に示されている第１の収縮した安定位置へ復帰しようとするスプリング３６によって加えられる弾性力に抗し、固定レバー３４を反時計回り方向に枢動させる。
【００５１】
図３に示されている状態に従って、バッジ１２を挿入させる長手方向の運動が続けられる。この図３に示された状態では、バッジ１２が次第に前方に移動する際には、固定フィンガー３０は一部が既に固定フィンガー２４への進入を開始しており、従って、これにより固定レバー３４は反時計回り方向に回転することが理解できる。
【００５２】
図３に示された中間位置を越えると、双安定スプリング３４の初期安定状態を越え、このスプリングは急に状態を変え、図４に示された第２の双安定位置に達する。
【００５３】
従って、双安定スプリング３４の状態が急に変化することにより固定レバー３４は急に枢動し、固定レバー３４は図４に示された双安定固定位置に達する。
【００５４】
このような急な枢動中に、固定フィンガー３０は、（バッジ１２を挿入するためにバッジ１２のユーザーによってフィンガー３０へ加え続けることができる力と無関係に）固定フィンガー３０の前方エッジ６６とウィンド２４の前方横方向エッジ２６との間の協働により、長手方向前方にバッジ１２を送る。
【００５５】
図３および図４から判るように、作動フィンガー６０の後方カム形状部６４と固定フィンガー３０の前方カム形状部６６との間の長手方向距離Ｄ１は、バッジ１２の前方横方向エッジ２２とウィンド２４の前方横方向エッジ２６との間の長手方向距離Ｄ２にほぼ等しい。
【００５６】
この結果、固定レバー３４の安定な固定位置は、実質的に遊びがない状態でユニット１４内の、すなわち特にプレート１６に対するバッジ１２の固定安定位置を決定する。
【００５７】
図１および図４に示されている安定した回転角方向の安定した位置において、スラスト凹面７４に向いた状態でロッキングフィンガーが延びる、図４に示された位置を完全に占めるようロッキングフィンガー７２を配置することにより、固定レバー３４をこの固定位置にロックすることが可能である。従って、固定レバー３４を時計回り方向に枢動させることは不可能となる。すなわちレバー３４を固定位置からその後退位置へ枢動させることは不可能である。
【００５８】
バッジ１２をデータ読み出しおよび交換装置から取り出したい時、第１工程としてロッキングフィンガー７２を後退させなければならない。
【００５９】
次に、図１〜図４に示された回転角位置から開始する場合、ユーザーはバッジ１２を長手方向前方に、すなわち図４にて右側から左へ取り出す。
【００６０】
この取り出し運動中、ウィンド２４の前方横方向エッジ２６は固定フィンガー３４の前方エッジ６６に作用し、固定レバー３４は時計回り方向に枢動される。
【００６１】
このような時計回り方向の枢動運動中、双安定スプリング３６は図４に示された第２の安定位置から離れるまで徐々に変形し、第２安定位置から離れた後、急に図２に示される第１の安定位置に反転する。従って、このような急激な反転枢動運動により、図２に示されている後退位置までの固定レバー３４の急激な枢動運動が生じる。この図２に示された後退位置では作動フィンガー３０は固定ウィンド２４内には嵌合されず、従って、これまでバッジが嵌合されていたデバイスからバッジ１２を自由に取り出すことができる。
【００６２】
従って、双安定スプリング３６は先に述べたように、バッジの挿入取り出しを補助する安価な手段をこのように構成する。
【００６３】
更に、図には示されていないが、特にユーザーが図４に示された双安定スプリング３６の第２の双安定状態を越えるような双安定スプリング３６の好ましくない力を発生させないよう、デバイス内へのバッジ１２の挿入に対する長手方向の最大位置を決定するデバイスのユニット内の固定ストッパーを設けることが可能である。
【００６４】
上記補助機能とは別に、双安定スプリング３６は挿入時および取り出し時にユーザーに感触も与える。本発明は特にデータ処理により盗難防止機能の一部または全体が実行され、媒体すなわちバッジ１２に含まれるデータの一部が自動車の正当なユーザーまたは正当なユーザーのグループを表示するような車への搭載に適用できる。
【００６５】
特にデータ処理は自動車の正当な使用を可能にするという見地から、バッジ１２に含まれるデータと車に搭載されたメモリ内に記憶されたデータとを比較することを目的とするものであり、処理回路は盗難防止手段が従来の盗難防止手段、すなわち自動車のステアリングコラムに作用する手段であるか、および／または自動車のエンジンの始動を防止したり、および／または自動車の作動を中止させる手段であるか否かとは関係なく、盗難防止手段を完全または部分的に制御するようになっている。
【図面の簡単な説明】
【図１】データ媒体のバッジが固定レバーの固定フィンガーによって固定されるアクティーブ長手方向位置に示されており、固定レバーがロッキング部材によってまだロックされていない状態にある、本発明による装置内の主な構成部品の一部を示す拡大略斜視図である。
【図２】データ媒体を形成するバッジが挿入時に固定レバーと接触している状態にて、固定レバーが後退された安定位置に示されている、図１に示された部品の長手方向部分側断面図である。
【図３】バッジを挿入する間、固定レバーとバッジの中間位置を示す、図１と類似した図である。
【図４】バッジが起動位置にある読み取り状態で、固定レバーが固定位置にある、図２および図３と類似する図である。
【符号の説明】
１０    装置
１２    データ媒体、すなわちバッジ
１４    ユニット
１８    上方面
２０    下方面
２２    横方向エッジ
２４    ウィンド
２６    前方横方向エッジ
２８    後方横方向エッジ
３０    固定フィンガー
３２    固定アーム
３４    固定レバー
３６    双安定戻りスプリング
３８    主要脚部
４０    ハウジング
４２    ラジアルタブ
４４    第２の横方向主要脚部
４６    １８０度の曲げ部
４８    関節接続脚部
５０    孔
５２    本体
５４、５６    横方向端部
６０    作動フィンガー
６２    作動アーム
６４    後方面
６６    前方エッジ
７２    フィンガー
７４    横方向延長部
【図１】
0004480202.tif 000002
【図２】
0004480202.tif 000003
【図３】
0004480202.tif 000004
【図４】
0004480202.tif 000005